(57)【要約】【課題】帽体の後頭部側縁と着用者の後頭部から首筋にかけての間に空間にファンモータ等を付設することにより、その付設に伴う課題を解決するとともに、帽体内を効率よく換気することができる換気機能付きヘルメットを提供することを目的とする。【解決手段】帽体３の内面と該帽体３内に装備されている内装品との間に挿入され、着脱自在に布設される可撓性を有するチューブ状ダクト１１と、チューブ状ダクト１１の一端にディフューザ１２を介して接続されるファンモータ１４と、ファンモータ１４に電気配線３１を介して接続される電源ボックス１５と、を備え、チューブ状ダクト１１は、少なくとも帽体３内の頭頂部付近から後頭部側縁付近までの長さを有し、その先端および長さ方向に沿う両側面に複数の吸気口が開口されており、ファンモータ１４は、帽体３の後頭部側縁付近の内面側に固定手段１３を介して着脱自在に付設されている。【選択図】図１
2012180606.tif 000002
【特許請求の範囲】
【請求項１】
帽体の内面と該帽体内に装備されている各種内装品との間に挿入され、着脱自在に布設される可撓性を有するチューブ状ダクトと、
前記チューブ状ダクトの一端にディフューザを介して接続されるファンモータと、
前記ファンモータに電気配線を介して接続される電源ボックスと、を備え、
前記チューブ状ダクトは、少なくとも前記帽体内の頭頂部付近から後頭部側縁付近までの長さを有し、その先端および長さ方向に沿う両側面に複数の吸気口が開口されており、
前記ファンモータは、前記帽体の後頭部側縁付近の内面側に固定手段を介して着脱自在に付設されていることを特徴とする換気機能付きヘルメット。
【請求項２】
前記チューブ状ダクトは、蛇腹状とされ、可撓性および潰れに対する形状保持性を備えていることを特徴とする請求項１に記載の換気機能付きヘルメット。
【請求項３】
前記チューブ状ダクトは、断面が楕円形状とされていることを特徴とする請求項１または２に記載の換気機能付きヘルメット。
【請求項４】
前記チューブ状ダクトは、内部に潰れに対する形状保持用の補強材が設けられていることを特徴とする請求項１ないし３のいずれかに記載の換気機能付きヘルメット。
【請求項５】
前記チューブ状ダクトは、両側面に形状保持用の凹部が設けられたＨ型断面形状とされていることを特徴とする請求項１に記載の換気機能付きヘルメット。
【請求項６】
前記チューブ状ダクトの長さ方向に沿って両側面に設けられる複数の吸気口は、長さ方向に沿って千鳥状に配置されていることを特徴とする請求項１ないし５のいずれかに記載の換気機能付きヘルメット。
【請求項７】
前記ファンモータは、前記ディフューザと前記固定手段との間に挟持され、それぞれに対して爪部を介して着脱自在に係止めされていることを特徴とする請求項１ないし６のいずれかに記載の換気機能付きヘルメット。
【請求項８】
前記固定手段には、前記帽体の後頭部側縁付近の内面側に面ファスナを介して着脱自在とされる固定片が一体に設けられていることを特徴とする請求項１ないし７のいずれかに記載の換気機能付きヘルメット。
【請求項９】
前記固定手段には、ファンガードが一体に設けられていることを特徴とする請求項１ないし８のいずれかに記載の換気機能付きヘルメット。
【請求項１０】
前記固定手段には、風向調整用フラップが一体に設けられていることを特徴とする請求項１ないし９のいずれかに記載の換気機能付きヘルメット。
【請求項１１】
前記帽体の後頭部側縁付近の内面側に前記固定手段を介して着脱自在に付設される前記ディフューザ、前記ファンモータおよび前記固定手段は、その最大外径が概ね４０ｍｍ以下で、かつ前記帽体の後頭部側縁からの最大突出量が概ね６０ｍｍ以下とされていることを特徴とする請求項１ないし１０のいずれかに記載の換気機能付きヘルメット。
【発明の詳細な説明】
【技術分野】
【０００１】
本発明は、帽体内部を換気することによって、頭部の蒸れを解消することができる換気機能付きヘルメットに関するものである。
【背景技術】
【０００２】
作業者の頭部を保護するためのヘルメットは、ヘルメット内部の通気性がよくないことから、長時間の着用により、頭部が蒸れて不快感を受ける場合があった。特に、湿度が高い季節や日照が厳しい屋外での着用時には、発汗と通気性の悪さとが相俟って蒸れが顕著となり、作業能率を低下させたり、毛髪に悪影響を与えたりする等の課題があった。これらの点を改善するため、ヘルメットに換気機能や空調機能を付加した換気機能付きヘルメットや空調機能付きヘルメットが提案されている。
【０００３】
ヘルメットの帽体内部を換気する方式には、吸気ファンを介して帽体内部の空気を吸い込み、外部から新鮮空気を導入して入れ替える吸気方式と、給気ファンを介して外部から新鮮空気を帽体内部に供給し、帽体内部の空気と入れ替える給気方式とがある。前者の例として、特許文献１に示されるように、帽体内部に吸気ファンを装備し、該吸気ファンにより帽体周辺から吸い込んだ空気を、帽体内面に布設されているダクトを介して外部に排気するようにしたものが知られている。また、後者の例として、特許文献２，３に示されるように、帽体の後頭部の外面側に給気ファンを装備し、該給気ファンにより送風ダクトを介して外部から吸気した空気を帽体内部に供給するようにしたものが知られている。
【先行技術文献】
【特許文献】
【０００４】
【特許文献１】実用新案登録第３１１３２８０号公報
【特許文献２】特開２００３−１１９６１１号公報
【特許文献３】特開２００３−３３６１２０号公報
【発明の概要】
【発明が解決しようとする課題】
【０００５】
しかしながら、特許文献１のものでは、換気機構の付設によって、蒸れによる不快感を解消することができる反面、帽体の頭頂部付近に、回転体であるファンモータが設けられるため、ファンモータの破損時等に怪我をする虞があるとともに、頭部に強い衝撃を受けたとき、ヘルメット内部の硬い装置によって頭部に受傷する度合が大きくなる等、安全性の確保が目的のヘルメットにおいて、その機能の一部が損なわれてしまう可能性がある等の課題があった。
【０００６】
また、特許文献２，３のものでは、帽体の後頭部外面側に付設されている給気ファンにより、ダクトを介してヘルメット内部に給気する方式のため、給気が頭髪やヘルメット内に設けられている内装品により遮られ、効果的に給気できない場合があるとともに、ヘルメットの外表面側に換気機構用の部品が突設されることから、ヘルメット本来の機能が阻害される虞がある等の課題があった。
【０００７】
本発明は、このような事情に鑑みてなされたものであって、ヘルメット着用時に帽体の後頭部側縁と着用者の後頭部から首筋にかけての間に空間が形成される点に着目し、その空間にファンモータ等を付設することによって、ファンモータの付設に伴う課題を解決するとともに、ヘルメット内部を効率よく換気し、頭部の蒸れを確実に解消することができる吸気方式の換気機能付きヘルメットを提供することを目的とする。
【課題を解決するための手段】
【０００８】
上記した課題を解決するために、本発明の換気機能付きヘルメットは、以下の手段を採用する。
すなわち、本発明にかかる換気機能付きヘルメットは、帽体の内面と該帽体内に装備されている各種内装品との間に挿入され、着脱自在に布設される可撓性を有するチューブ状ダクトと、前記チューブ状ダクトの一端にディフューザを介して接続されるファンモータと、前記ファンモータに電気配線を介して接続される電源ボックスと、を備え、前記チューブ状ダクトは、少なくとも前記帽体内の頭頂部付近から後頭部側縁付近までの長さを有し、その先端および長さ方向に沿う両側面に複数の吸気口が開口されており、前記ファンモータは、前記帽体の後頭部側縁付近の内面側に固定手段を介して着脱自在に付設されていることを特徴とする。
【０００９】
本発明によれば、少なくとも帽体内の頭頂部付近から後頭部側縁付近までの間に着脱自在に布設されるチューブ状ダクトには、その先端および長さ方向に沿う両側面に複数の吸気口が開口されているため、帽体の略全周域から吸気口を介してチューブ状ダクト内に空気を吸い込み、該チューブ状ダクトの一端に接続されているファンモータを介して外部に排気することにより、帽体内を常に新鮮空気と換気することができる。従って、ヘルメットを着用したときの頭部の蒸れによる不快感を解消することができるとともに、ファンモータから排気される空気を後頭部および首筋に向け送風することにより、当該部を効果的に冷却し、不快感の改善と共に熱中症の予防等にも繋げることができる。また、帽体内部には可撓性を有するチューブ状ダクトを布設するだけでよく、換気用のファンモータは帽体の後頭部側縁付近の内面側の空間に、固定手段を介して着脱自在に付設される構成とされているため、万が一頭部に強い衝撃を受けたとしても、ヘルメットの頭部付近に設けられる機器により頭部に受傷する度合や、ファンモータの破損による怪我の可能性を低減することができる。更に、帽体の外面側に換気機構用の部品が突設されることがなく、ヘルメット本来の機能が阻害される虞もない。
【００１０】
また、本発明の換気機能付きヘルメットは、上記の換気機能付きヘルメットにおいて、前記チューブ状ダクトは、蛇腹状とされ、可撓性および潰れに対する形状保持性を備えていることを特徴とする。
【００１１】
本発明によれば、チューブ状ダクトが、蛇腹状とされ、可撓性および潰れに対する形状保持性を備えているため、可撓性を有する蛇腹状のチューブ状ダクトを、帽体内の曲面に沿わせて湾曲させながら布設することができるとともに、布設状態においてその形状を保持し、所要の風路を確保することができる。従って、チューブ状ダクトの布設を容易化することができるとともに、帽体が潰れない限り、ダクトとして所要の風路を維持し、確実に所期の換気機能を得ることができる。
【００１２】
さらに、本発明の換気機能付きヘルメットは、上述のいずれかの換気機能付きヘルメットにおいて、前記チューブ状ダクトは、断面が楕円形状とされていることを特徴とする。
【００１３】
本発明によれば、チューブ状ダクトの断面が、楕円形状とされているため、帽体の内面と該帽体内に装備されている衝撃吸収ライナー、ヘッドバンド、ハンモック、環紐等の内装品との間に形成される狭い空間に対しても、所要の断面積を有するチューブ状ダクトを布設することができる。従って、帽体の略全周域から外部の空気を効率よく吸気して帽体内を十分に換気することができ、所要の換気性能を確保することができる。
【００１４】
さらに、本発明の換気機能付きヘルメットは、上述のいずれかの換気機能付きヘルメットにおいて、前記チューブ状ダクトは、内部に潰れに対する形状保持用の補強材が設けられていることを特徴とする。
【００１５】
本発明によれば、チューブ状ダクトの内部に、潰れに対する形状保持用の補強材が設けられているため、チューブ状ダクトを帽体内面に沿わせ湾曲させながら布設しても、内部に潰れに対する形状保持用の補強材が設けられていることから、チューブ状ダクトが潰れる虞がなく、布設状態においてその形状を保持し、所要の断面を有する風路を確保することができる。従って、チューブ状ダクトの布設を容易化することができるとともに、帽体が潰れない限り、ダクトとして所要断面積の風路を維持し、所期の換気機能を得ることができる。
【００１６】
また、本発明の換気機能付きヘルメットは、上記の換気機能付きヘルメットにおいて、前記チューブ状ダクトは、両側面に形状保持用の凹部が設けられたＨ型断面形状とされていることを特徴とする。
【００１７】
本発明によれば、チューブ状ダクトが、両側面に形状保持用の凹部が設けられたＨ型断面形状とされているため、チューブ状ダクトを帽体の内面に沿わせ湾曲させながら布設しても、両側面に形状保持用の凹部が設けられていることから、チューブ状ダクトが潰れる虞がなく、布設状態においてその形状を保持し、所要の断面を有する風路を確保することができる。従って、チューブ状ダクトの布設を容易化することができるとともに、帽体が潰れない限り、ダクトとして所要断面積の風路を維持し、確実に所期の換気機能を得ることができる。
【００１８】
さらに、本発明の換気機能付きヘルメットは、上述のいずれかの換気機能付きヘルメットにおいて、前記チューブ状ダクトの長さ方向に沿って両側面に設けられる複数の吸気口は、長さ方向に沿って千鳥状に配置されていることを特徴とする。
【００１９】
本発明によれば、チューブ状ダクトの長さ方向に沿って両側面に設けられる複数の吸気口が、長さ方向に沿って千鳥状に配置されているため、チューブ状ダクトを帽体内面に沿わせ湾曲させながら布設する際の潰れに対する耐力を、千鳥状配置とすることによって同一位置に設けたものに比べ、大幅に向上することができる。従って、チューブ状ダクトを所要の断面形状の風路を保持したまま布設することができ、所要の換気性能を確保することができる。
【００２０】
また、本発明の換気機能付きヘルメットは、上述のいずれかの換気機能付きヘルメットにおいて、前記ファンモータは、前記ディフューザと前記固定手段との間に挟持され、それぞれに対して爪部を介して着脱自在に係止めされていることを特徴とする。
【００２１】
本発明によれば、ファンモータが、ディフューザと固定手段との間に挟持され、それぞれに対して爪部を介して着脱自在に係止めされているため、一端にチューブ状ダクトが接続されているディフューザと、帽体の後頭部側縁付近の内面側に着脱自在に付設可能とされている固定手段との間にファンモータを挟持し、それぞれを爪部で係止めすることによって、簡易に換気機構を組み立てることができる。従って、部品数が少なく、組み立てが容易でかつ安価であり、しかも優れた換気性能を有する吸気方式のヘルメット用換気機構を提供することができる。
【００２２】
さらに、本発明の換気機能付きヘルメットは、上述のいずれかの換気機能付きヘルメットにおいて、前記固定手段には、前記帽体の後頭部側縁付近の内面側に面ファスナを介して着脱自在とされる固定片が一体に設けられていることを特徴とする。
【００２３】
本発明によれば、固定手段に、帽体の後頭部側縁付近の内面側に面ファスナを介して着脱自在とされる固定片が一体に設けられているため、固定手段に一体に設けられている固定片を、面ファスナを介して帽体の後頭部側縁付近の内面側に着脱自在に固定することにより、チューブ状ダクトが一端に接続されているディフューザを含むファンモータを帽体の後頭部側縁付近の内面側空間に簡単に着脱自在に付設することができる。従って、ヘルメットに対する換気機構の着脱を容易化し、必要に応じて簡易に換気機構を付設することにより、ヘルメット着用時の蒸れによる不快感を解消することができる。
【００２４】
また、本発明の換気機能付きヘルメットは、上述のいずれかの換気機能付きヘルメットにおいて、前記固定手段には、ファンガードが一体に設けられていることを特徴とする。
【００２５】
本発明によれば、固定手段に、ファンガードが一体に設けられているため、ディフューザに固定手段を組み付けし、その間にファンモータを挟持することにより、同時にファンモータの吹出し口側を固定手段に設けられているファンガードによってガードすることができる。従って、回転体であるファンモータに対して、安全対策としてのファンガードを簡易に装備することができる。
【００２６】
さらに、本発明の換気機能付きヘルメットは、上述のいずれかの換気機能付きヘルメットにおいて、前記固定手段には、風向調整用フラップが一体に設けられていることを特徴とする。
【００２７】
本発明によれば、固定手段に、風向調整用フラップが一体に設けられているため、帽体の後頭部側縁付近で、ファンモータから吹出される空気の吹出し方向をフラップにより任意の方向に調整し、必要に応じてヘルメット着用者の後頭部、首筋等に向けて送風することができる。従って、ヘルメット着用者の希望により後頭部、首筋等にファンモータからの吹出し風を吹付け、当該部を効果的に冷却することにより、不快感の改善や熱中症等の予防を図ることができる。
【００２８】
さらに、本発明の換気機能付きヘルメットは、上述のいずれかの換気機能付きヘルメットにおいて、前記帽体の後頭部側縁付近の内面側に前記固定手段を介して着脱自在に付設される前記ディフューザ、前記ファンモータおよび前記固定手段は、その最大外径が概ね４０ｍｍ以下で、かつ前記帽体の後頭部側縁からの最大突出量が概ね６０ｍｍ以下とされていることを特徴とする。
【００２９】
本発明によれば、帽体の後頭部側縁付近の内面側に固定手段を介して着脱自在に付設されるディフューザ、ファンモータおよび固定手段の最大外径が概ね４０ｍｍ以下で、かつ帽体の後頭部側縁からの最大突出量が概ね６０ｍｍ以下とされているため、ヘルメットを普通に着用した状態において、帽体の後頭部側縁と着用者の後頭部から首筋にかけての間に形成される空間内に、換気機構を構成するディフューザ、ファンモータおよび固定手段を納めて着脱自在に付設することができ、しかも着用者が首を上向きに概ね４５°程曲げても、換気機構が後頭部や首筋に当らないようにすることができる。従って、換気機構の付設によってヘルメットの着用感が悪化される虞がなく、しかも換気機構を帽体の外面側に突出しないように付設することができ、ヘルメット本来の機能を阻害しないようにすることができる。
【発明の効果】
【００３０】
本発明によると、帽体の略全周域から吸気口を介してチューブ状ダクト内に空気を吸い込み、該チューブ状ダクトの一端に接続されているファンモータを介して外部に排気することにより、帽体内を常に新鮮空気と換気することができるため、ヘルメットを着用したときの頭部の蒸れによる不快感を解消することができるとともに、ファンモータから排気される空気を後頭部および首筋に向け送風することにより、当該部を効果的に冷却し、不快感の改善と共に熱中症の予防等にも繋げることができる。また、帽体の内部には可撓性を有するチューブ状ダクトを布設するだけでよく、換気用のファンモータは帽体の後頭部側縁付近の内面側の空間に、固定手段を介して着脱自在に付設される構成とされているため、万が一頭部に強い衝撃を受けたとしても、ヘルメットの頭部付近に設けられる機器により頭部に受傷する度合や、ファンモータの破損による怪我の可能性を低減することができる。更に、帽体の外面側に換気機構用の部品が突設されることがなく、ヘルメット本来の機能が阻害される虞もない。
【図面の簡単な説明】
【００３１】
【図１】本発明の第１実施形態に係る換気機能付きヘルメットの着用状態の側面視図である。
【図２】図１に示す換気機構の構成部品とその分解状態の側面視図（Ａ）と組み立て後の断面図（Ｂ）である。
【図３】図１に示す電源ボックスの外観斜視図（Ａ）とその断面図（Ｂ）である。
【図４】図１に示す換気機構のチューブ状ダクトの拡大側面図である。
【図５】本発明の第２実施形態に係るチューブ状ダクトの一部分の斜視図である。
【図６】本発明の第３実施形態に係るチューブ状ダクトの一部分の斜視図である。
【図７】本発明の換気機能付きヘルメットの帽体に対する換気機構の付設状態の説明図である。
【図８】本発明の換気機能付きヘルメットを着用して首を上向きに概ね４５°程曲げた状態の説明図である。
【図９】本発明の換気機能付きヘルメットを着用した状態を後方から見た状態の説明図である。
【発明を実施するための形態】
【００３２】
以下に、本発明にかかる実施形態について、図面を参照して説明する。
［第１実施形態］
以下、本発明の第１実施形態について、図１ないし図４、並びに図７ないし図９を用いて説明する。
図１には、本発明の第１実施形態に係る換気機能付きヘルメットの着用状態の側面視図が示され、図２ないし図４には、その換気機構の構成図および構成部品図が示されている。
ヘルメット１は、着用者の頭部Ｈを衝撃等から保護するためのものであって、周縁に適宜大きさの鍔部２が設けられた強化プラスチック製の帽体３を備えている。この帽体３の内部には、公知の如く、図示省略の衝撃吸収ライナー、ヘッドバンド、ハンモック、環紐等の内装品が装備されているものとする。
【００３３】
ヘルメット１には、着用者の頭部Ｈの蒸れを解消するための換気機構１０が着脱自在に付設されている。換気機構１０は、帽体３の後頭部付近の内面側に後述する固定手段１３を介して着脱自在に付設されるものであり、帽体３の湾曲している内面に沿って布設されるチューブ状ダクト１１と、このチューブ状ダクト１１が一端に接続されるディフューザ１２と、該ディフューザ１２に対して外装され、爪部２６を介して着脱自在に係止めされる固定部材（固定手段）１３と、ディフューザ１２と固定部材１３との間に狭持されるファンモータ１４と、ファンモータ１４の駆動源とされる電源ボックス１５とから構成されている。
【００３４】
チューブ状ダクト１１は、図４に示されるように、外周に螺旋リング状の歯形１６が設けられている蛇腹状の可撓性および潰れに対する形状保持性を有する樹脂製チューブ１７によって構成されており、その先端開口１８がラッパ状に拡げられているとともに、左右両側面側に、それぞれ長さ方向に沿って複数の吸気口１９，２０が千鳥状に交互に配置された構成とされている。
【００３５】
このチューブ状ダクト１１は、図１に示されるように、少なくとも帽体３内の頭頂部付近から後頭部側縁付近に至るまでの長さを有しており、帽体３内の湾曲した内面と、帽体３内に装備されている内装品（図示省略）との間に形成される隙間に、帽体３の内面に沿わせて湾曲させながら挿入され、その内面の複数箇所に設けられている面ファスナ（例えば、ベルクロファスナまたはマジックテープと称されているもの；何れも登録商標）２１を介して着脱自在に布設されるようになっている。
【００３６】
ディフューザ１２は、図２に示されるように、一端にチューブ状ダクト１１が接続されるダクト接続部２２が設けられ、他端にファンモータ１４が固定部材１３を介して挟持されるファン装着部２３が設けられている筒体であり、チューブ状ダクト１１と略同径とされたダクト接続部２２から、ファンモータ１４と略同径とされたファン装着部２３に向って断面積が急峻に拡大された形状とされている。このディフューザ１２は、樹脂材による一体成形品であり、ファン装着部２３にファンモータ１４を係止めするための複数の爪部２４が設けられている。
【００３７】
固定部材（固定手段）１３は、ディフューザ１２のファン装着部２３に外装され、ディフューザ１２との間でファンモータ１４を挟持する筒部２５と、ファンモータ１４を係止めする複数の爪部２６と、筒部２５の外周から軸方向に延長され、その先端が自由端とされている固定片２７と、筒部２５の一端面側に一体に設けられ、ファンモータ１４の吹出し口側に指等が入らないようにするファンガード２８と、ファンモータ１４から吹出される空気の吹出し方向を調整する回動可能な一対の風向調整用フラップ２９とを備えた構成とされている。この固定部材１３は、帽体３の後頭部の内面側に設けられている上記と同様の面ファスナ３０を介して、帽体３に着脱自在に付設されるようになっている。
【００３８】
ファンモータ１４には、例えばファンケース内にステーを介して支持されている薄型モータの軸に、樹脂製のプロペラファンを取り付けることによって一体化された構成の小型ファンモータが用いられている。このファンモータ１４に電気配線３１を介して電源ボックス１５から電気が供給されるようになっている。電源ボックス１５は、図３に示されるように、外部にオンオフ用の電源スイッチ３２が設けられるとともに、内部に直列に接続された４本の電池３３が内蔵されたものであり、ポケットに収容したり、ベルトに装着したりすることが可能な構成とされている。
【００３９】
上記の換気機構１０において、チューブ状ダクト１１は、図１に示されるように、帽体３の内面と、帽体３内に装備されている内装品（図示省略）との間の隙間に、面ファスナ２１を介して着脱自在に布設され、このチューブ状ダクト１１に接続されるディフューザ１２、ファンモータ１４および固定部材（固定手段）１３は、一体に組み付けられることによって、帽体３の後頭部付近の鍔部２を含む内面側に、固定部材１３から延長されている固定片２７を介して面ファスナ３０により着脱自在に付設される構成とされている。
【００４０】
ヘルメット１は、例えば、図７ないし図９に示されるように、帽体部分の半径Ｒを１５０ｍｍ、鍔部２を含む側縁部分の前後方向寸法を２６０ｍｍ、幅方向寸法を２２０ｍｍとしたヘルメット１を普通に着用した場合、帽体の後頭部側縁と着用者の後頭部から首筋にかけての間に空間が形成され、その空間の前後方向寸法Ｗは、概ね４０ｍｍ程度、着用者が首を上向きに４５°程曲げたときの上下方向寸法（高さ方向寸法）Ｌは、概ね６０ｍｍ程度である。従って、換気機構１０を構成するディフューザ１２、ファンモータ１４および固定部材１３を一体に組み付けたときの最大外形寸法を、上記寸法未満に抑えることにより、換気機構１０を上記空間に納めて着脱自在に付設することが可能となる。
【００４１】
以上に説明の構成により、本実施形態によれば、以下の作用効果を奏する。
上記換気機構１０は、図１に示されるように、チューブ状ダクト１１を帽体３の内面に沿わせて頭頂部付近まで挿入し、面ファスナ２１を介して布設するとともに、一体に組み付けられたディフューザ１２、ファンモータ１４および固定部材１３を、帽体３の後頭部付近の鍔部２を含む内面側に面ファスナ３０を介して付設することにより、ヘルメット１に組み付けることができる。
【００４２】
そして、このヘルメット１を着用した状態で、電源ボックス１５に設けられている電源スイッチ３２をオンし、ファンモータ１４を駆動することにより、帽体３の内部を換気することができる。つまり、ファンモータ１４が駆動され、ファンが回転されると、帽体３内に布設されているチューブ状ダクト１１の先端開口１８および両側面の吸気口１９，２０を介して帽体３内の空気が吸引され、チューブ状ダクト１１、ディフューザ１２およびファンモータ１４を経て外部に排気される。これによって、帽体３の略全周域から新鮮空気が吸い込まれ、帽体３内の空気が新鮮空気と換気されることとなり、ヘルメット着用者の頭部の蒸れ等を防止することができる。
【００４３】
一方、ファンモータ１４から排気される空気は、回動可能な一対の風向調整用フラップ２９によって吹出し方向を任意の方向に調整することが可能であり、必要に応じて吹出し風をヘルメット着用者の後頭部から首筋に向けて吹き付けることによって、該部を効果的に冷却し、不快感の解消や熱中症の予防等に供することができる。
【００４４】
斯くして、本実施形態によると、帽体３の略全周域から先端開口１８および両側面の吸気口１９，２０を介してチューブ状ダクト１１内に空気を吸い込み、該チューブ状ダクト１１の一端に接続されているファンモータ１４を介して外部に排気することにより、帽体３内を常に新鮮空気と換気することができるため、ヘルメット１を着用したときの頭部の蒸れによる不快感を解消することができるとともに、ファンモータ１４から排気される空気を後頭部および首筋に向け送風することにより、当該部を効果的に冷却し、不快感の改善と共に熱中症の予防等にも繋げることができる。
【００４５】
また、帽体３内には可撓性を有するチューブ状ダクト１１を布設するだけでよく、換気用のファンモータ１４等は、帽体３の後頭部側縁付近の内面側の空間に、固定部材（固定手段）１３を介して着脱自在に付設される構成とされているため、万が一頭部に強い衝撃を受けたとしても、ヘルメット１の頭部付近に設けられる機器類により頭部に受傷する度合や、ファンモータ１４の破損による怪我の可能性を低減することができる。更に、帽体３の外面側に換気機構１０用の部品が突設されることがなく、ヘルメット１本来の機能が阻害される虞もない。
【００４６】
また、チューブ状ダクト１１が、蛇腹状とされ、可撓性および潰れに対する形状保持性を備えた構成とされている。これによって、可撓性を有する蛇腹状のチューブ状ダクト１１を、帽体３内の曲面に沿わせて湾曲させながら布設することができるとともに、布設状態においてその形状を保持し、所要の風路を確保することができる。このため、チューブ状ダクト１１の布設を容易化することができるとともに、帽体３が潰れない限り、ダクトとして所要の風路を維持し、確実に所期の換気機能を得ることができる。
【００４７】
また、チューブ状ダクト１１には、長さ方向に沿って両側面に複数の吸気口１９，２０が設けられているが、この吸気口１９，２０は、長さ方向に沿って千鳥状に配置されているため、チューブ状ダクト１１を帽体内面に沿わせ湾曲させながら布設する際の潰れに対する耐力を、同一位置に設けたものに比べ、大幅に向上することができる。従って、チューブ状ダクト１１を所要の断面形状の風路を保持したまま布設することができ、所要の換気性能を確保することができる。
【００４８】
また、ファンモータ１４が、ディフューザ１２と固定部材１３との間に挟持され、それぞれに対して爪部２４，２６を介して着脱自在に係止めされている。このため、一端にチューブ状ダクト１１が接続されているディフューザ１２と、帽体３の後頭部側縁付近の内面側に着脱自在に付設される固定部材１３との間にファンモータ１４を挟持し、それぞれを爪部２４，２６で係止めすることによって、簡易に換気機構１０を組み立てることができる。従って、部品数が少なく、組み立てが容易でかつ安価であり、しかも優れた換気性能を有する吸気方式のヘルメット用換気機構１０を提供することができる。
【００４９】
さらに、固定部材１３には、帽体３の後頭部側縁付近の内面側に面ファスナ３０を介して着脱自在とされる固定片２７が一体に設けられている。このため、固定部材１３に一体に設けられている固定片２７を、面ファスナ３０を介して帽体３の後頭部側縁付近の内面側に着脱自在に固定することによって、チューブ状ダクト１１が一端に接続されているディフューザ１２を含むファンモータ１４を帽体３の後頭部側縁付近の内面側空間に簡単に着脱自在に付設することができる。従って、ヘルメット１に対する換気機構１０の着脱を容易化し、必要に応じて簡易に換気機構１０を付設することにより、ヘルメット着用時の蒸れによる不快感を解消することができる。
【００５０】
また、固定部材１３には、ファンガード２８が一体に設けられているため、ディフューザ１２に固定部材１３を装着し、その間にファンモータ１４を挟持することにより、同時にファンモータ１４の吹出し口側を固定部材１３に設けられているファンガード２８によってガードすることができる。従って、回転体であるファンモータ１４に対して、安全対策としてのファンガード２８を簡易に装備することができる。
【００５１】
また、固定部材１３には、回動可能な一対の風向調整用フラップ２９が一体に設けられているため、帽体３の後頭部側縁付近で、ファンモータ１４から吹出される空気の吹出し方向をフラップ２９により任意の方向に調整し、必要に応じてヘルメット着用者の後頭部や首筋等に向けて送風することができる。従って、ヘルメット着用者の希望に応じて後頭部や首筋等にファンモータ１４からの吹出し風を吹付け、当該部を効果的に冷却することにより、不快感の改善や熱中症等の予防を図ることができる。
【００５２】
さらに、帽体３の後頭部側縁付近の内面側に固定部材１３を介して着脱自在に付設されるディフューザ１２、ファンモータ１４および固定部材１３の最大外径が概ね４０ｍｍ以下で、かつ帽体３の後頭部側縁からの最大突出量が概ね６０ｍｍ以下とされている。このため、ヘルメット１を普通に着用した状態において、帽体３の後頭部側縁と着用者の後頭部から首筋にかけての間に形成される空間内に、換気機構１０を構成するディフューザ１２、ファンモータ１４および固定部材１３を納めて着脱自在に付設することができ、しかも着用者が首を上向きに概ね４５°程曲げても、換気機構１０が後頭部や首筋に当らないようにすることができる。従って、換気機構１０の付設によってヘルメット１の着用感が悪化される虞がなく、しかも換気機構１０を帽体３の外面側に突出しないように付設することができ、ヘルメット１本来の機能を阻害しないようにすることができる。
【００５３】
［第２実施形態］
次に、本発明の第２実施形態について、図５を用いて説明する。
本実施形態は、上記した第１実施形態に対して、チューブ状ダクト４１の構成が異なっている。その他の点については、第１実施形態と同様であるので説明は省略する。
本実施形態においては、チューブ状ダクト４１を、図５に示されるように、方形断面チューブ４２を用い、その両側面に潰れを防止する形状保持用の凹部４３を成形することにより、Ｈ型断面形状の風路を有する構成としている。
【００５４】
このように、方形断面チューブ４２の両側面に形状保持用の凹部４３を成形したＨ型断面形状の風路を有するチューブ状ダクト４１を用いることにより、チューブ状ダクト４１を帽体３の内面に沿わせ湾曲させながら布設しても、両側面に形状保持用の凹部４３が設けられていることから、チューブ状ダクト４１が潰れる虞がなく、布設状態においてその形状を保持し、所要の断面を有する風路を確保することができる。このため、チューブ状ダクト４１の布設を容易化することができるとともに、帽体３が潰れない限り、ダクトとして所要断面積の風路を維持し、確実に所期の換気機能を得ることができる。
【００５５】
［第３実施形態］
次に、本発明の第３実施形態について、図６を用いて説明する。
本実施形態は、上記した第１および第２実施形態に対して、チューブ状ダクト５１の構成が異なる。その他の点については、第１実施形態と同様であるので説明は省略する。
本実施形態においては、チューブ状ダクト５１を、図６に示されるように、断面が楕円形状をしたチューブ５２を用い、その内部に潰れに対する形状保持用の補強材５３を設けた構成としている。
【００５６】
上記のように、断面が楕円形状をしたチューブ５２を用いてチューブ状ダクト５１を構成することにより、帽体３の内面と該帽体３内に装備されている衝撃吸収ライナー、ヘッドバンド、ハンモック、環紐等の内装品との間に形成される狭い空間に対しても、所要の断面積を有するチューブ状ダクト５１を布設することができる。これによって、帽体３の略全周域から外部の空気を効率よく吸気して帽体内を十分に換気することができ、所要の換気性能を確保することができる。
【００５７】
また、チューブ状ダクト５１の内部に、潰れに対する形状保持用の補強材５３が設けられているため、チューブ状ダクト５１を帽体３の湾曲した内面に沿わせ湾曲させながら布設しても、内部に設けられている補強材５３の作用でチューブ状ダクト５１が潰れる虞がなく、布設状態においてその形状を保持し、所要の断面を有する風路を確保することができる。従って、チューブ状ダクト５１の布設を容易化することができるとともに、帽体３が潰れない限り、ダクトとして所要断面積の風路を維持し、所期の換気機能を得ることができる。
【００５８】
なお、本発明は、上記実施形態にかかる発明に限定されるものではなく、その要旨を逸脱しない範囲において、適宜変形が可能である。例えば、上記実施形態では、ファンモータ１４として、プロペラファンを用いている例について説明したが、これに限らず、遠心ファン等、他のファンを用いた構成としてもよい。また、ディフューザ１２、ファンモータ１４および固定部材１３の組み付けも、上記実施形態の組み付け構成に限定されるものではなく、様々な組み付け構成を採用することが可能である。
【符号の説明】
【００５９】
１  ヘルメット
３  帽体
１０  換気機構
１１，４１，５１  チューブ状ダクト
１２  ディフューザ
１３  固定部材（固定手段）
１４  ファンモータ
１５  電源ボックス
１８  先端開口
１９，２０  吸気口
２１，３０  面ファスナ
２４，２６  爪部
２７  固定片
２８  ファンガード
２９  風向調整用フラップ
３１  電気配線
４２  方形断面チューブ
４３  凹部
５２  楕円形状チューブ
５３  補強材
【図１】
2012180606.tif 000003
【図２】
2012180606.tif 000004
【図３】
2012180606.tif 000005
【図４】
2012180606.tif 000006
【図５】
2012180606.tif 000007
【図６】
2012180606.tif 000008
【図７】
2012180606.tif 000009
【図８】
2012180606.tif 000010
【図９】
2012180606.tif 000011